(57)【特許請求の範囲】
【請求項１】
左右一対の縦枠と、前記縦枠の下端部同士を連結する下枠と、前記下枠と上下一対となるよう前記縦枠同士を連結する上枠とにより構成され、かつ躯体に形成された開口部に連通する矩形状開口を有する開口枠と、
前記縦枠の上端部同士を連結する天枠、前記上枠及び前記縦枠により前記開口枠の上方に形成された収容枠と、
前記矩形状開口を閉塞可能なシャッタ部材を繰り出し可能となるよう巻取軸にて巻取収納するシャッタ本体と
を備えた建具であって、
前記縦枠は、前記開口枠を構成する部分において長手方向に沿って延在する中空部を有しており、
前記縦枠よりも耐火性に優れた材料により形成され、かつ前記縦枠の中空部の上端面に一部が載置されるとともに前記中空部の内部に進入する複数の取付片が取付部材を介して前記縦枠の内側見込み面に取り付けられることで前記収容枠に配設され、更に前記シャッタ本体を支持することで該シャッタ本体を該収容枠に収容させるブラケットを備え、
前記ブラケットは、複数の取付片のうち少なくとも１つが前記巻取軸よりも前記躯体に近接する個所に取り付けられており、かつ下方に向けて延在するヒレ部が前記中空部に進入して前記縦枠の躯体側の見付け面に対向することを特徴とする建具。
【請求項２】
前記ブラケットは、前記取付片が、前記縦枠よりも耐火性に優れた材料により形成された補強金具と前記縦枠の内側見込み面を挟み込むようにして前記取付部材を介して取り付けられることを特徴とする請求項１に記載の建具。
【請求項３】
前記補強金具は、前記縦枠の見付け方向に沿って延在し、かつ前記上枠に固定部材を介して固定される補強部を備えたことを特徴とする請求項２に記載の建具。
【発明の詳細な説明】
【技術分野】
【０００１】
本発明は、建具に関するものである。
【背景技術】
【０００２】
従来、防犯等の観点からシャッタ本体を備えた建具が知られている。このような建具は、開口枠と、収容枠と、シャッタ本体とを備えて構成されている。
【０００３】
開口枠は、左右一対の縦枠と、縦枠の下端部同士を連結する下枠と、下枠と上下一対となるよう縦枠同士を連結する上枠とにより構成され、かつ躯体に形成された開口部に連通する矩形状開口を有している。収容枠は、開口枠の上方に形成されるものである。この収容枠は、縦枠の上端部同士を連結する天枠と、上記上枠と、この上枠よりも上方側の縦枠とにより構成されている。シャッタ本体は、開口枠の矩形状開口を閉塞可能なシャッタ部材を有しており、かかるシャッタ部材を繰り出し可能な状態で巻取軸にて巻取収納するものである。このようなシャッタ本体は、収容枠に収容されている。
【０００４】
ところで、このような建具においては、開口枠及び収容枠を構成する縦枠等の枠部材がアルミニウム若しくはアルミニウム合金の押し出し形材により形成されているのが一般的であるため、火災等により加熱されると枠部材が溶融・軟化してしまい、シャッタ本体が早期に脱落等してしまう虞れがあった。
【０００５】
そこで、上記枠部材よりも耐火性に優れた例えばスチール等からなる補強部材を収容枠を構成する縦枠の内側見込み面に取り付けるとともに躯体にも固定させて収容枠に配設し、かかる補強部材によりシャッタ本体を支持させるようにした建具が知られている（例えば、特許文献１参照）。
【先行技術文献】
【特許文献】
【０００６】
【特許文献１】特開２０１３−６８０３９号公報
【発明の概要】
【発明が解決しようとする課題】
【０００７】
ところが、上述した特許文献１に提案されているような建具では、補強部材を躯体に固定させるために該躯体に補強部材を支持するための補助柱等を別途設置する必要があり、躯体構造を変更させる必要があった。
【０００８】
本発明は、上記実情に鑑みて、躯体構造を変更させることなく、火災等により加熱された場合でもシャッタ本体が脱落することを抑制することができる建具を提供することを目的とする。
【課題を解決するための手段】
【０００９】
上記目的を達成するために、本発明に係る建具は、左右一対の縦枠と、前記縦枠の下端部同士を連結する下枠と、前記下枠と上下一対となるよう前記縦枠同士を連結する上枠とにより構成され、かつ躯体に形成された開口部に連通する矩形状開口を有する開口枠と、前記縦枠の上端部同士を連結する天枠、前記上枠及び前記縦枠により前記開口枠の上方に形成された収容枠と、前記矩形状開口を閉塞可能なシャッタ部材を繰り出し可能となるよう巻取軸にて巻取収納するシャッタ本体とを備えた建具であって、前記縦枠は、前記開口枠を構成する部分において長手方向に沿って延在する中空部を有しており、前記縦枠よりも耐火性に優れた材料により形成され、かつ前記縦枠の中空部の上端面に一部が載置されるとともに前記中空部の内部に進入する複数の取付片が取付部材を介して前記縦枠の内側見込み面に取り付けられることで前記収容枠に配設され、更に前記シャッタ本体を支持することで該シャッタ本体を該収容枠に収容させるブラケットを備え、前記ブラケットは、複数の取付片のうち少なくとも１つが前記巻取軸よりも前記躯体に近接する個所に取り付けられており、かつ下方に向けて延在するヒレ部が前記中空部に進入して前記縦枠の躯体側の見付け面に対向することを特徴とする。
【００１０】
この発明によれば、火災等により加熱される場合、縦枠が溶融・軟化してもシャッタ本体を支持するブラケットは耐火性に優れた材料により形成されているので、その形態を維持することができる。そして、少なくとも１つの取付片が巻取軸よりも躯体に近接する個所に位置しており、かつヒレ部が縦枠の躯体側の見付け面に対向しているので、重量物であるシャッタ本体が自身の自重により回転しようとしても、ヒレ部が対向する見付け面に接触することで、該回転を阻止することができる。しかも、従来のように躯体に補助柱等を設置する必要がなく、躯体構造を変更する必要がない。
【００１１】
また本発明は、上記建具において、前記ブラケットは、前記取付片が、前記縦枠よりも耐火性に優れた材料により形成された補強金具と前記縦枠の内側見込み面を挟み込むようにして前記取付部材を介して取り付けられることを特徴とする。
【００１２】
この発明によれば、ブラケットを構成する取付片と、該ブラケットと同様に耐火性に優れた材料により形成された補強金具とで縦枠の見込み面を挟み込むようにしてブラケットを支持するので、縦枠が火災の加熱等により変形してもブラケットが傾くことを抑制できる。
【００１３】
また本発明は、上記建具において、前記補強金具は、前記縦枠の見付け方向に沿って延在し、かつ前記上枠に固定部材を介して固定される補強部を備えたことを特徴とする。
【００１４】
この発明によれば、補強金具は、補強部が固定部材を介して上枠に固定されているので、躯体構造を変更することなく、火災等で加熱された場合にもブラケットが傾くことを防止して、シャッタ本体が脱落することを抑制できる。
【発明の効果】
【００１５】
本発明によれば、躯体構造を変更させることなく、火災等により加熱された場合でもシャッタ本体が脱落することを抑制することができるという効果を奏する。
【図面の簡単な説明】
【００１６】
【図１】図１は、本発明の実施の形態である建具を模式的に示す分解斜視図である。
【図２】図２は、ブラケットを示す斜視図である。
【図３】図３は、縦枠にブラケットを取り付ける状態を説明するための分解斜視図である。
【図４】図４は、シャッタ本体を収容枠に収容する状態を説明するための分解斜視図である。
【図５】図５は、本発明の実施の形態である建具の縦断面図である。
【図６】図６は、本発明の実施の形態である建具の変形例の要部を示す分解斜視図である。
【図７】図７は、図６に示した要部の斜視図である。
【図８】図８は、本発明の実施の形態である建具の参考例の要部を示す斜視図である。
【図９】図９は、図８に示した参考例の一部の構成要素を分解して示す分解斜視図である。
【発明を実施するための形態】
【００１７】
以下に添付図面を参照して、本発明に係る建具の好適な実施の形態について詳細に説明する。
【００１８】
図１は、本発明の実施の形態である建具を模式的に示す分解斜視図である。ここで例示する建具は、開口枠１０と、収容枠２０と、シャッタ本体３０とを備えて構成されている。
【００１９】
開口枠１０は、左右一対の縦枠１１と、下枠１２と、上枠１３とを備えて構成されている。左右一対の縦枠１１は、例えばアルミニウム又はアルミニウム合金の押し出し型材によって一様な横断面形状を有するように構成されている。これら縦枠１１においては、長手方向である上下方向の中間部分よりもやや上方側の部位より下端部において、横断面形状が矩形状を成す中空部１１１が形成されている。また、これら縦枠１１は、それぞれ躯体１の開口部２の左右一対の側縁部に沿って配設されている。
【００２０】
下枠１２は、例えばアルミニウム又はアルミニウム合金の押し出し型材によって一様な横断面形状を有するように構成されている。この下枠１２は、一端部が一方の縦枠１１の下端部の内側見込み面に当接し、他端部が他方の縦枠１１の下端部の内側見込み面に当接することで、左右一対の縦枠１１の下端部同士を連結するものであり、躯体１の開口部２の下縁部に沿って配設されている。
【００２１】
上枠１３は、下枠１２と上下一対となるものであり、例えばアルミニウム又はアルミニウム合金の押し出し型材によって一様な横断面形状を有するように構成されている。この上枠１３は、一端部が一方の縦枠１１の中空部１１１の上端より僅かに下方の内側見込み面、すなわち中空部１１１を形成する部位の見込み面に当接し、他端部が他方の縦枠１１の中空部１１１の上端より僅かに下方の内側見込み面、すなわち中空部１１１を形成する部位の見込み面に当接することで、左右一対の縦枠１１同士を連結するものであり、躯体１の開口部２を構成するまぐさに取り付けられている。かかるまぐさは、従来公知のものであり、図には明示しないが窓台や柱とともに躯体１の開口部２を構成するものである。
【００２２】
このような開口枠１０には、上記縦枠１１、下枠１２及び上枠１３により、これらに囲繞された矩形状開口１４が形成されており、かかる矩形状開口１４は、躯体１の開口部２に連通している。また、図には明示していないが、上記開口枠１０には、障子が開閉移動可能に配設され、かかる障子が開閉移動することで矩形状開口１４が開放若しくは閉塞される。
【００２３】
収容枠２０は、上記縦枠１１及び上枠１３の他、天枠２１を備えて構成されている。天枠２１は、上枠１３と上下一対となるものであり、例えばアルミニウム又はアルミニウム合金の押し出し型材によって一様な横断面形状を有するように構成されている。この天枠２１は、一端部が一方の縦枠１１の上端部の内側見込み面、すなわち中空部１１１よりも上方側の見込み面に当接し、他端部が他方の縦枠１１の上端部の内側見込み面、すなわち中空部１１１よりも上方側の見込み面に当接することで、左右一対の縦枠１１の上端部同士を連結するものである。これにより収容枠２０は、開口枠１０の上方に形成されている。
【００２４】
このような構成を有する収容枠２０には、左右一対のブラケット４０が配設されている。図２はブラケットを示す斜視図である。この図２においては、左右一対のブラケット４０のうち収容枠２０の右方側に配設されるブラケット４０を例示している。収容枠２０の左方側に配設されるブラケット４０は、図２に示したブラケット４０と左右方向の構造が異なるだけであるので、右方側に配設されるブラケット４０について説明し、左方側に配設されるブラケット４０の説明は割愛する。
【００２５】
図２に示すブラケット４０は、例えばスチールや鉄等の縦枠１１の材料（アルミニウム又はアルミニウム合金）よりも耐火性に優れた材料により形成されるもので、平板状の板状体を屈曲加工等して構成されている。このブラケット４０は、基部４１、第１折曲部４２、第２折曲部４３及び第３折曲部４４を備えて構成されている。
【００２６】
基部４１は、上下方向に沿って延在する平板状部位である。この基部４１は、収容枠２０を構成する縦枠１１の内側見込み面、すなわち縦枠１１における中空部１１１よりも上方側の見込み面の大部分を覆うことが可能な大きさを有している。
【００２７】
第１折曲部４２は、基部４１の上端縁部より左方に向けて延在する平板状部位である。この第１折曲部４２の室外側端部には上方に向けて延在する第１支持片４２１が設けられている。この第１支持片４２１は、平板状部位であり、その中央領域に第１支持孔４２１ａが形成されている。第２折曲部４３は、基部４１の室内側端部より左方に向けて延在する平板状部位である。
【００２８】
第３折曲部４４は、基部４１の下端縁部より左方に向けて延在する平板状部位である。この第３折曲部４４には、第２支持片４４１、第１取付片４４２、第２取付片４４３及びヒレ部４４４が設けられている。第２支持片４４１は、第３折曲部４４の室外側端部より下方に向けて延在している。この第２支持片４４１は、第１支持片４２１と同一平面を形成しており、その中央領域に第２支持孔４４１ａが形成されている。
【００２９】
第１取付片４４２は、第３折曲部４４における中央領域の左方端部の一部を切り欠くことにより形成された舌片状部位を下方に屈曲させて形成されている。この第１取付片４４２の中央領域には第１取付孔４４２ａが形成されている。
【００３０】
第２取付片４４３は、第１取付片４４２よりも室内側において、第３折曲部４４の左方端部の一部を切り欠くことにより形成された舌片状部位を下方に屈曲させて形成されている。この第２取付片４４３の中央領域には第２取付孔４４３ａが形成されている。また、第２取付片４４３の下方への延在長さは、第１取付片４４２の下方への延在長さと略同じ大きさとされている。
【００３１】
ヒレ部４４４は、第３折曲部４４の室内側端部に形成された舌片状部位を下方に屈曲させて形成されたもので、その下方への延在長さは、第１取付片４４２及び第２取付片４４３の延在長さよりも大きいものである。
【００３２】
ところで、このような第３折曲部４４においては、ヒレ部４４４の左右方向の長さは、縦枠１１に形成される中空部１１１の左右方向の長さよりも小さいものとされている。また、第１取付片４４２及び第２取付片４４３の形成部分を除く第３折曲部４４の左右方向の長さは、縦枠１１の中空部１１１の左右方向の長さよりも大きいものとされている。
【００３３】
このようなブラケット４０は次のようにして収容枠２０に配設される。図３に示すように、第１取付片４４２、第２取付片４４３及びヒレ部４４４を縦枠１１の中空部１１１に進入させて第３折曲部４４を該中空部１１１の上端面に載置させる。この場合、第２支持片４４１が縦枠１１の室外側見付け面（中空部１１１を形成する部位の見付け面）よりも室外側に位置しており、第１取付片４４２の第１取付孔４４２ａ及び第２取付片４４３の第２取付孔４４３ａは、それぞれ縦枠１１の内側見込み面に形成された貫通孔１１１ａ，１１１ｂに一致している。また、ヒレ部４４４は、縦枠１１の室内側（躯体１側）の見付け面、すなわち中空部１１１を形成する部位の室内側見付け面に対向している。
【００３４】
そして、第１取付片４４２及び第２取付片４４３と、補強金具５０とで縦枠１１の内側見込み面を挟み込むようにする。この補強金具５０は、ブラケット４０と同様に、例えばスチールや鉄等の縦枠１１の材料（アルミニウム又はアルミニウム合金）よりも耐火性に優れた材料により形成されており、縦枠１１の見込み方向が長手方向となる長尺平板状部材である。かかる補強金具５０には、第１取付支持孔５１ａ及び第２取付支持孔５１ｂが形成されており、第１取付支持孔５１ａを縦枠１１の室外側の貫通孔１１１ａに一致させ、第２取付支持孔５１ｂを縦枠１１の室内側の貫通孔１１１ｂに一致させる。そして、取付部材である取付ネジ５５を第１取付支持孔５１ａ、貫通孔１１１ａ及び第１取付孔４４２ａ、並びに第２取付支持孔５１ｂ、貫通孔１１１ｂ及び第２取付孔４４３ａを挿通させて螺合させることで、ブラケット４０は、第１取付片４４２及び第２取付片４４３が補強金具５０と縦枠１１の内側見込み面を挟み込むようにして取り付けられる。
【００３５】
このようにしてブラケット４０を取付ネジ５５で取り付ける前、若しくは後に、ブラケット４０の基部４１を図示せぬビス等を用いて縦枠１１の内側見込み面に固着させることで、ブラケット４０は、収容枠２０に左右一対となるよう配設される。
【００３６】
その後、左右一対のブラケット４０の第２折曲部４３を跨るように、各第２折曲部４３の室外側の面に長尺矩形状の収容背板４８（図１参照）を固定支持させる。この収容背板４８も、ブラケット４０や補強金具５０と同様に、例えばスチールや鉄等の縦枠１１の材料（アルミニウム又はアルミニウム合金）よりも耐火性に優れた材料により形成されている。
【００３７】
シャッタ本体３０は、前面が開放された箱状の形態を成し、左右一対の側板３１間に回転自在に架設された巻取軸３２（図５参照）に、複数のスラットが連結されたシャッタ部材３３を繰り出し可能な状態で巻取収納するものである。このシャッタ本体３０は、従来公知のものであるから詳細な説明は省略するが、前方域を覆う前面カバー３４が取り付けられている。
【００３８】
そして、図４に示すように、かかるシャッタ本体３０を収容枠２０に室外側から挿入し、シャッタ本体３０に設けられた固定支持片３０ａをブラケット４０の第１支持片４２１及び第２支持片４４１に一致させて支持ネジ３０ｂを挿通させて螺合させることで、シャッタ本体３０が収容枠２０に収容される。つまり、ブラケット４０がシャッタ本体３０を支持して該シャッタ本体３０を収容枠２０に収容させている。
【００３９】
ここで図１中の符号３５は、収容枠２０に収容されたシャッタ本体３０のうち、収容枠２０から室外側に突出する両側部を覆うサイドカバーであり、符号１７は、縦枠１１の室外側端部に配設され、かつシャッタ部材３３の左右両端部を進入させてシャッタ本体３０の繰り出し、あるいは引き込みの際に該左右両端部をガイドするガイドレールである。
【００４０】
このように収容枠２０に収容されたシャッタ本体３０のシャッタ部材３３は、図５に示すように、下方に向けて繰り出された場合、先端部が下枠１２に設けられた係止部１２１に係止されることで、開口枠１０の矩形状開口１４を閉塞することができる。
【００４１】
以上のような構成を有する本実施の形態である建具においては、ブラケット４０の第１取付片４４２及び第２取付片４４３がシャッタ本体３０における巻取軸３２よりも躯体１側（室内側）に位置している。つまり、第１取付片４４２及び第２取付片４４３が巻取軸３２よりも躯体１に近接する個所に位置している。そして、上述したようにブラケット４０のヒレ部４４４が、縦枠１１の室内側（躯体１側）の見付け面、すなわち中空部１１１を形成する部位の室内側見付け面に対向している。
【００４２】
このような建具が火災等により加熱される場合、アルミニウム又はアルミニウム合金で形成される縦枠１１等が溶融・軟化することとなるが、シャッタ本体３０を支持するブラケット４０は耐火性に優れた材料により形成されているので、その形態を維持することができる。そして、第１取付片４４２及び第２取付片４４３が巻取軸３２よりも躯体１に近接する個所に位置しており、かつヒレ部４４４が縦枠１１の室内側の見付け面に対向しているので、重量物であるシャッタ本体３０が自身の自重により室外側に回転しようとしても、ヒレ部４４４が対向する見付け面に接触することで、該回転を阻止することができる。しかも、従来のように躯体に補助柱等を設置する必要がなく、躯体構造を変更する必要がない。
【００４３】
従って、上記建具によれば、躯体構造を変更させることなく、火災等により加熱された場合でもシャッタ本体３０が脱落することを抑制することができる。
【００４４】
また、上記建具によれば、ブラケット４０を構成する第１取付片４４２及び第２取付片４４３と、該ブラケット４０と同様に耐火性に優れた材料により形成された補強金具５０とで縦枠１１の見込み面を挟み込むようにしてブラケット４０を取り付けているので、縦枠１１等が火災の加熱等により変形してもブラケット４０が傾くことを抑制できる。これにより、左右一対のブラケット４０間を跨るように固定支持された収容背板４８も傾くことが抑制され、シャッタ本体３０が傾くことを抑制できる。よって、シャッタ本体３０が脱落することを抑制できる。
【００４５】
更に、上記建具によれば、ブラケット４０は、縦枠１１の中空部１１１の上端面に一部が載置された状態で収容枠２０に配設されているので、縦枠１１の中空部１１１の全長に亘って例えばスチール製の補強部材を通過させる必要がなく、建具の重量増や部品点数の増大による製造コストの増大化を防止することができる。
【００４６】
図６は、本発明の実施の形態である建具の変形例の要部を示す分解斜視図である。この図６に示すように、上述した実施の形態である補強金具５０に代えて、Ｌ字状を成す補強金具（以下、Ｌ字状補強金具ともいう）６０を用いても良い。
【００４７】
このＬ字状補強金具６０は、ブラケット４０と同様に、例えばスチールや鉄等の縦枠１１の材料（アルミニウム又はアルミニウム合金）よりも耐火性に優れた材料により形成されており、第１補強部６１と第２補強部（補強部）６２とを備えて構成されている。
【００４８】
第１補強部６１は、縦枠１１の見込み方向が長手方向となる長尺平板状部材である。かかる第１補強部６１には、第１取付支持孔６１ａ及び第２取付支持孔６１ｂが形成されている。第２補強部６２は、第１補強部６１の室内側端部より左方に向けて延在するもので、左右方向、すなわち縦枠１１の見付け方向が長手方向となる長尺平板状部材である。かかる第２補強部６２には、固定孔６２ａが形成されている。
【００４９】
尚、図６には収容枠２０の右方側に配設されるブラケット４０のみ例示しているので、かかるブラケット４０の取り付けに適用されるＬ字状補強金具６０の第２補強部６２は、第１補強部６１の室内側端部より左方に向けて延在するものである。収容枠２０の左方側に配設されるブラケット４０の取り付けに適用されるＬ字状補強金具６０は、図６に示したものと左右方向の構造が異なり、第２補強部６２は、第１補強部６１の室内側端部より右方に向けて延在する。
【００５０】
このようなＬ字状補強金具６０における第１補強部６１の第１取付支持孔６１ａを縦枠１１の室外側の貫通孔１１１ａに一致させ、第２取付支持孔６１ｂを縦枠１１の室内側の貫通孔１１１ｂに一致させる。そして、取付部材である取付ネジ６５を第１取付支持孔６１ａ、貫通孔１１１ａ及び第１取付孔４４２ａ、並びに第２取付支持孔６１ｂ、貫通孔１１１ｂ及び第２取付孔４４３ａを挿通させて螺合させることで、ブラケット４０は、第１取付片４４２及び第２取付片４４３がＬ字状補強金具６０と縦枠１１の内側見込み面を挟み込むようにして取り付けられる。
【００５１】
そして、図７に示すように、Ｌ字状補強金具６０の第２補強部６２の固定孔６２ａに固定部材である固定ネジ６６を挿通させて、上枠１３に固定される。ここで上枠１３は、上述したように、躯体１の開口部２を構成するまぐさに取り付けられている。
【００５２】
このようなＬ字状補強金具６０を用いた建具においては、第２補強部６２を上枠１３に固定させることで、上枠１３を介してＬ字状補強金具６０自体を躯体１のまぐさに固定させることができ、補助柱等を必要としない。つまり、躯体１の構造を変更させることなく、火災等で加熱された場合にもブラケット４０が傾くことを防止して、シャッタ本体３０が脱落することを抑制できる。
【００５３】
図８は、本発明の実施の形態である建具の参考例の要部を示す斜視図であり、図９は、図８に示した参考例の一部の構成要素を分解して示す分解斜視図である。尚、上述した本発明の実施の形態の建具と同一の構成要素については同一の符号を付してその説明を適宜省略する。また、以下においては、建具の参考例における右方側の要部について説明し、左方側の要部については右方側の要部と左右方向の構造が異なるだけであるので、その説明を割愛する。
【００５４】
図８及び図９に示す建具においては、開口枠１０及び収容枠２０を構成する縦枠１１′は、例えばアルミニウム又はアルミニウム合金の押し出し型材によって一様な横断面形状を有するように構成されている。この縦枠１１′においては、その長手方向の全域に亘って横断面形状が矩形状を成す中空部１１１′が形成されている。つまり、図８及び図９に示す建具の縦枠１１′においては、開口枠１０を構成する部分だけでなく収容枠２０を構成する部分にも中空部１１１′が形成されている。
【００５５】
このような縦枠１１′には、ブラケット７０が配設されている。ブラケット７０は、例えばスチールや鉄等の縦枠１１′の材料（アルミニウム又はアルミニウム合金）よりも耐火性に優れた材料により形成されるもので、ブラケット本体部７０ａとブラケット支持部７０ｂとを備えて構成されている。
【００５６】
ブラケット本体部７０ａは、平板状の板状体を屈曲加工等して構成されている。このブラケット本体部７０ａは、本体基部７１、第１本体折曲部７２、第２本体折曲部７３及び第３本体折曲部７４を備えて構成されている。
【００５７】
本体基部７１は、上下方向に沿って延在する平板状部位である。この本体基部７１は、収容枠２０を構成する縦枠１１′の内側見込み面の大部分を覆うことが可能な大きさを有している。
【００５８】
第１本体折曲部７２は、本体基部７１の上端縁部より左方に向けて延在する平板状部位である。この第１本体折曲部７２の室外側端部には上方に向けて延在する第１支持片７２１が設けられている。この第１支持片７２１は、平板状部位であり、その中央領域に第１支持孔７２１ａが形成されている。また、第１本体折曲部７２における室内外方向（縦枠１１′の見込み方向）の中間部分には切欠部７２２が形成されており、かかる切欠部７２２よりも室外側には複数（図示の例では２つ）の本体連結孔７２３が形成されている。
【００５９】
第２本体折曲部７３は、本体基部７１の室内側端部より左方に向けて延在する平板状部位である。第３本体折曲部７４は、本体基部７１の下端縁部より左方に向けて延在する平板状部位である。この第３本体折曲部７４には、第２支持片７４１が設けられている。第２支持片７４１は、第３本体折曲部７４の室外側端部より下方に向けて延在している。この第２支持片７４１は、第１支持片７２１と同一平面を形成しており、その中央領域に第２支持孔７４１ａが形成されている。このような第２支持片７４１は、第１支持片７２１と同様に、収容枠２０に室外側から挿入されるシャッタ本体３０（図１等参照）の固定支持片３０ａ（図１等参照）に支持ネジ３０ｂ（図４参照）を介して螺合されるものである。つまり、ブラケット７０は、シャッタ本体３０を支持して該シャッタ本体３０を収容枠２０に収容させるものである。
【００６０】
ブラケット支持部７０ｂは、平板状の板状体を屈曲加工等して構成されている。このブラケット支持部７０ｂは、支持基部７５、支持折曲部７６及びヒレ部７７を備えて構成されている。
【００６１】
支持基部７５は、室内外方向が長手方向となる平板状部位である。支持折曲部７６は、支持基部７５の左端縁部より下方に向けて延在する連結部７８に連続するものであり、連結部７８の下端縁部より左方に向けて延在する平板状部位である。この支持折曲部７６は、上記第１本体折曲部７２に載置可能な大きさを有している。尚、支持折曲部７６の室内外方向の長さは、連結部７８の室内外方向よりも大きく、支持折曲部７６の室外側端部は、連結部７８の室外側端部よりも室外側に突出しており、かつ支持折曲部７６の室内側端部は、連結部７８の室内側端部よりも室内側に突出している。かかる支持折曲部７６には、複数（図示の例では４つ）の支持連結孔７６１が形成されている。
【００６２】
ヒレ部７７は、支持折曲部７６の室外側端部に形成された舌片状部位を下方に屈曲させて形成されたもので、その下方への延在長さは、連結部７８の延在長さよりも大きいものである。つまり、ヒレ部７７の延在端部である下端部は、支持折曲部７６よりも下方に突出している。このヒレ部７７の左右方向の長さは、縦枠１１′に形成される中空部１１１′の左右方向の長さよりも小さいものとされている。
【００６３】
このようなブラケット７０を次のようにして収容枠２０に配設させる。まず、収容枠２０を構成する縦枠１１′の内側見込み面にブラケット本体部７０ａを次のように取り付ける。ブラケット本体部７０ａの第３本体折曲部７４を上枠１３に載置させた状態で、本体基部７１に形成された取付孔７１１を縦枠１１′の図示せぬ貫通孔に一致させる。そして、図示せぬ取付ネジを、取付孔７１１及び貫通孔を挿通させて螺合させることで、ブラケット本体部７０ａを縦枠１１′に取り付けることができる。
【００６４】
次に、ブラケット支持部７０ｂを次のように取り付ける。ヒレ部７７を縦枠１１′の中空部１１１′に進入させて支持折曲部７６を第３本体折曲部７４の上面に載置させる。この場合、連結部７８における支持基部７５と連続する部分７８１が中空部１１１′の上端面に載置される。そして、支持折曲部７６に形成された支持連結孔７６１のうち、室外側の２つの支持連結孔７６１を第３本体折曲部７４に形成された本体連結孔７２３に一致させてこれら連結孔にリベット８０を挿通させることで、ブラケット支持部７０ｂをブラケット本体部７０ａに連結させることができる。この場合、ブラケット支持部７０ｂのヒレ部７７は、縦枠１１′の室外側の見付け面、すなわち中空部１１１′を形成する部位の室外側見付け面に対向している。
【００６５】
このようにしてブラケット７０を収容枠２０に左右一対となるよう配設することができる。その後、左右一対のブラケット本体部７０ａの第２本体折曲部７３を跨るように、各第２本体折曲部７３の室外側の面に長尺矩形状の収容背板４８（図１参照）を固定支持させる。この収容背板４８も、ブラケット７０と同様に、例えばスチールや鉄等の縦枠１１′の材料（アルミニウム又はアルミニウム合金）よりも耐火性に優れた材料により形成されている。
【００６６】
このような図８及び図９に示す建具においては、縦枠１１′の中空部１１１′が該縦枠１１′の長手方向の全域に亘って形成されている。またブラケット７０は、その一部が該中空部１１１′の上端面に載置されるとともにヒレ部７７が縦枠１１′の室外側の見付け面、すなわち中空部１１１′を形成する部位の室外側見付け面に対向して縦枠１１′に配設されている。これにより、ブラケット７０のヒレ部７７は、収容枠２０に配設されるシャッタ本体３０の巻取軸３２（図５参照）よりも上方側であって、かつ室外側に配置されている。
【００６７】
このような建具が火災等により加熱される場合、アルミニウム又はアルミニウム合金で形成される縦枠１１′等が溶融・軟化することとなるが、シャッタ本体３０を支持するブラケット７０（ブラケット本体部７０ａ及びブラケット支持部７０ｂ）は耐火性に優れた材料により形成されているので、その形態を維持することができる。そして、ヒレ部７７が巻取軸３２よりも上方側であって縦枠１１′の室外側に配置されているので、重量物であるシャッタ本体３０が自身の自重により室外側に回転しようとしても、ヒレ部７７が対向する見付け面に接触することで、該回転を阻止することができる。しかも、従来のように躯体に補助柱等を設置する必要がなく、躯体構造を変更する必要がない。
【００６８】
従って、上記建具によれば、躯体構造を変更させることなく、火災等により加熱された場合でもシャッタ本体３０が脱落することを抑制することができる。
【００６９】
また、上記建具によれば、ブラケット７０は、縦枠１１′の中空部１１１′の上端面に一部が載置された状態で収容枠２０に配設されているので、縦枠１１′の中空部１１１′の全長に亘って例えばスチール製の補強部材を通過させる必要がなく、建具の重量増や部品点数の増大による製造コストの増大化を防止することができる。
【００７０】
以上、本発明の好適な実施の形態、その変形例並びに参考例について説明したが、本発明はこれらに限定されるものではなく種々の変更行うことができる。
【００７１】
上述した実施の形態及びその変形例では、補強金具５０，６０を用いてブラケット４０を縦枠１１に取り付けていたが、本発明においては、補強金具を用いずにブラケットの取付片を縦枠の内側見込み面に取り付けても良い。一般的に、中空部を形成する部位の見込み面である縦枠の内側見込み面は、中空部の存在により火災等の加熱によっても高温になりにくく縦枠の他の部位よりも溶融・軟化しづらい。そのため、補強金具を用いなくてもブラケットを良好に取り付けることができる。
【００７２】
上述した実施の形態では、第１取付片４４２及び第２取付片４４３がシャッタ本体３０の巻取軸３２よりも躯体１側に近接する個所に位置していたが、本発明においては、複数の取付片のうち少なくとも１つが巻取軸よりも躯体に近接する個所に取り付けられていればよいので、第２取付片４４３だけが巻取軸３２よりも躯体１に近接する個所に取り付けられていても良い。
【符号の説明】
【００７３】
１  躯体、２  開口部、１０  開口枠、１１  縦枠、１１１  中空部、１２  下枠、１３  上枠、１４  矩形状開口、２０  収容枠、２１  天枠、３０  シャッタ本体、３１  側板、３２  巻取軸、３３  シャッタ部材、４０  ブラケット、４１  基部、４２  第１折曲部、４３  第２折曲部、４４  第３折曲部、４４２  第１取付片、４４３  第２取付片、４４４  ヒレ部、５０  補強金具
【図１】
0006356028.tif 000002
【図２】
0006356028.tif 000003
【図３】
0006356028.tif 000004
【図４】
0006356028.tif 000005
【図５】
0006356028.tif 000006
【図６】
0006356028.tif 000007
【図７】
0006356028.tif 000008
【図８】
0006356028.tif 000009
【図９】
0006356028.tif 000010